(57)【特許請求の範囲】
【請求項１】
給水路からの水を加熱して給湯路に供給する給湯用熱交換器と、浴槽の戻り路からの湯水を加熱して前記浴槽への往き路に供給して浴槽内の湯水を追焚する追焚用熱交換器と、前記給湯用熱交換器と前記追焚用熱交換器とを加熱する単一のバーナと、前記給湯路からの湯水を前記浴槽に供給する為に前記給湯路から分岐した湯張り路と、前記湯張り路を開閉する湯張り開閉弁と、前記湯張り開閉弁よりも下流側で前記湯張り路に連通する大気開放室と、前記湯張り開閉弁を開き側に切り替えるに伴って前記湯張り路と前記大気開放室との連通を遮断する状態に切替え、前記湯張り開閉弁を閉じ側に切り替えるに伴って前記湯張り路と前記大気開放室とを連通させる状態に切替える連通切換手段とを備えた給湯装置であって、
前記浴槽内の湯水を追焚する追焚単独運転時に前記給湯路と前記大気開放室とを連通させる連通手段が設けられ、
前記給湯装置の作動を制御する給湯用制御手段が、前記追焚単独運転時に前記給湯路内の圧力上昇が抑制されるように前記連通手段の作動を制御するように構成され、
前記連通手段が、前記給湯用制御手段からの指令によって前記給湯路と前記大気開放室とを連通させる状態とその連通を遮断する状態とに切替え自在に設けられ、
前記給湯用制御手段が、前記追焚単独運転時に前記給湯路と前記大気開放室とが間欠的に連通するように前記連通手段の作動を制御するように構成され、
前記連通手段が、前記湯張り開閉弁と前記連通切換手段とで構成され、
前記給湯用制御手段が、前記湯張り開閉弁を間欠的に開き側に切り替えて、前記追焚単独運転時に前記給湯路と前記大気開放室とを間欠的に連通させるように構成されている給湯装置。
【請求項２】
前記湯張り開閉弁よりも上流側の湯張り路に、その湯張り路を開閉自在な開閉弁が設けられている請求項１記載の給湯装置。
【請求項３】
前記給湯用制御手段が、前記開閉弁を所定時間だけ開いた後、前記湯張り開閉弁を所定時間だけ開く状態で、前記開閉弁と前記湯張り開閉弁とを間欠的に開き側に切り替えて、前記追焚単独運転時に前記給湯路と前記大気開放室とを間欠的に連通させるように構成されている請求項２記載の給湯装置。
【請求項４】
前記開閉弁と前記湯張り開閉弁との間の前記湯張り路に、その湯張り路内の圧力を吸収する圧力吸収手段が設けられている請求項２又は３記載の給湯装置。
【請求項５】
前記給湯用熱交換器を迂回して前記湯張り路の分岐箇所よりも上流側の給湯路と前記給水路とを接続するバイパス路の前記給湯路との接続箇所に、前記給湯用熱交換器からの湯水量と前記バイパス路からの水量との混合比を調整するミキシング弁が設けられ、
前記給湯用制御手段が、前記追焚単独運転時に前記給湯路内の圧力上昇が抑制されるように前記連通手段を作動させる時に、湯水量の混合比率が少なくなるように前記ミキシング弁の作動を制御するように構成されている請求項１〜４のいずれか１項記載の給湯装置。
【発明の詳細な説明】
【０００１】
【発明の属する技術分野】
本発明は、給水路からの水を加熱して給湯路に供給する給湯用熱交換器と、浴槽の戻り路からの湯水を加熱して前記浴槽への往き路に供給して浴槽内の湯水を追焚する追焚用熱交換器と、前記給湯用熱交換器と前記追焚用熱交換器とを加熱する単一のバーナと、前記給湯路からの湯水を前記浴槽に供給する為に前記給湯路から分岐した湯張り路と、前記湯張り路を開閉する湯張り開閉弁と、前記湯張り開閉弁よりも下流側で前記湯張り路に連通する大気開放室と、前記湯張り開閉弁を開き側に切り替えるに伴って前記湯張り路と前記大気開放室との連通を遮断する状態に切替え、前記湯張り開閉弁を閉じ側に切り替えるに伴って前記湯張り路と前記大気開放室とを連通させる状態に切替える連通切換手段とを備えた給湯装置に関する。
【０００２】
【従来の技術】
冒記給湯装置は、給湯用熱交換器と追焚用熱交換器とを単一のバーナで加熱することによって構造の簡素化を図ることができ、また、湯張り開閉弁を開き側に切り替えるに伴って湯張り路と大気開放室との連通を遮断して、給湯路からの湯水を浴槽に供給し、湯張り開閉弁を閉じ側に切り替えるに伴って湯張り路と大気開放室とを連通させるので、浴槽への湯水の供給が停止している状態では湯張り開閉弁よりも下流側の湯張り路内に残っている湯水を大気開放室に流出させて、浴槽側の汚水と湯張り路側の湯水との接触による湯張り路側の湯水への雑菌等の侵入を防止できるものである。
しかしながら、給湯用熱交換器と追焚用熱交換器を単一のバーナで加熱するように構成されているため、給水路からの水を給湯用熱交換器で加熱して給湯路に供給する給湯運転や湯張り路からの湯水を浴槽に供給する湯張り運転を停止している状態で、浴槽の戻り路からの湯水を追焚用熱交換器で加熱して浴槽への往き路に供給して浴槽内の湯水を追焚する追焚単独運転時にも給湯用熱交換器が加熱されることになり、追焚単独運転時には、給湯用熱交換器の加熱に伴う温度上昇で給湯用熱交換器内の湯水の体積が膨張して、給水路や給湯路内の圧力が上昇する問題がある。
そこで、従来、図１０に示すように、給水路０１に連通するシリンダ０２と、シリンダ０２内を移動して給水路に連通する圧力吸収用空間０３の容積を変更するピストン０４と、圧力吸収用空間０３の容積が少なくなるようにピストンを付勢するバネ０５とが備えられているアキュムレータ（圧力吸収器）０６を給水路０１に接続して、給水路０１内の圧力が高くなるほどピストン０４を付勢力に抗して大きく移動させて、圧力吸収用空間０３の容積を、ピストン０４の最大移動位置Ａに対応する最大容積の範囲内で増減するように構成し、追焚単独運転時に給湯用熱交換器内の湯水の体積が膨張して給水路０１内の圧力が上昇すると、その圧力上昇に応じたピストン０４の移動で、その湯水の体積膨張分を圧力吸収用空間０３内に流入させて、給水路０１やその給水路０１に連通する給湯路内の圧力上昇を抑制している。
【０００３】
【発明が解決しようとする課題】
この為、給湯装置の運転を停止している状態で、給水路０１の給水圧力が低い場合には、図１０（イ）に示すように、その給水圧力によるピストン０４の移動量が少なく、追焚単独運転時に湯水の体積膨張分を吸収できる圧力吸収用空間０３を大きく確保することができるが、給水路０１の給水圧力が高い場合には、図１０（ロ）に示すように、その給水圧力によるピストン０４の移動量が大きくなり、追焚単独運転時に湯水の体積膨張分を吸収できる圧力吸収用空間０３を充分確保することができず、給水路０１内の圧力上昇を広い圧力範囲に亘って抑制できない欠点がある。
また、給水圧力が高い場合でも給水路０１内の圧力上昇を広い圧力範囲に亘って抑制できるように、ピストン０４を付勢するバネ圧を強くしてアキュムレータ０６の初期作動圧力を高くしたり、シリンダ０２を大型化することが考えられるが、この場合は、高い作動圧力に耐え得る強度を備えたアキュムレータや大型のアキュムレータを装備する必要があるので、アキュムレータの製作コストが高くなるとともにアキュムレータの耐久性も確保しにくくなる欠点がある。
本発明は上記実情に鑑みてなされたものであって、給湯装置に本来設けられている大気開放室を上手く活用して、高い強度を備えたアキュムレータや大型のアキュムレータを装備することなく、給水圧力が高い場合でも給水路や給湯路内の圧力上昇を広い圧力範囲に亘って効率良く抑制できるようにすることを目的とする。
【０００４】
【課題を解決するための手段】
請求項１記載の給湯装置は、
追焚単独運転時に給湯路と大気開放室とが連通するように連通手段を作動させると、給湯路と大気開放室とが連通していないときに生じた湯水の体積膨張分を吸収する状態で、給湯路側の湯水が大気開放室に流入し、給湯路内の圧力上昇が抑制される。
従って、高い強度を備えたアキュムレータや大型のアキュムレータを装備することなく、給水圧力が高い場合でも給水路や給湯路内の圧力上昇を広い圧力範囲に亘って効率良く抑制できる。
また、請求項１記載の給湯装置は、
追焚単独運転時に給湯路と大気開放室とが間欠的に連通されるに伴って、給湯路と大気開放室とが連通していないときに生じた湯水の体積膨張分を繰り返し吸収する状態で、給湯路側の湯水が大気開放室に間欠的に流入して、給湯路内の圧力上昇が抑制されるので、給湯路内の圧力を急激に低下させる場合に比べて、衝撃や衝撃音の発生を抑制できる。
また、請求項１記載の給湯装置は、
給湯装置に本来備えられている湯張り開閉弁と連通切換手段を活用して、湯張り開閉弁を間欠的に開き側に切り替えることで、給湯路側の湯水を大気開放室に間欠的に流入させることができ、例えば、給湯路と大気開放室とを直接連通する流路とその流路を連通状態と遮断状態とに切り替える連通手段とを別に設けて、その流路を間欠的に連通状態に切り替える場合に比べて、構造の簡略化を図ることができる。
請求項２記載の給湯装置は、
湯張り開閉弁を閉じた状態で、その湯張り開閉弁よりも上流側の湯張り路に設けた開閉弁を開いて、給湯路側の湯水の体積膨張分を湯張り開閉弁とその上流の開閉弁との間の湯張り路部分に流入させ、湯張り開閉弁を開いて給湯路側の湯水を大気開放室に流入させるときには、給湯路内の圧力が大気圧まで急激に低下しないように、上流側の開閉弁を閉じておくことができるので、衝撃や衝撃音の発生を防止しながら、給湯路内の圧力上昇を抑制することができる。
請求項３記載の給湯装置は、
開閉弁を所定時間だけ開いた後、湯張り開閉弁を所定時間だけ開く状態で、衝撃や衝撃音の発生を防止しながら、開閉弁と湯張り開閉弁とを間欠的にタイミング良く開き側に切り替えることができる。
請求項４記載の給湯装置は、
湯張り路内の圧力を吸収する圧力吸収手段が、湯張り開閉弁とその上流の開閉弁との間の湯張り路部分に設けられているので、湯張り開閉弁を閉じた状態でその湯張り路部分に流入させることができる給湯路側の湯水量を増やして、湯張り開閉弁を開いて給湯路と大気開放室とを一回連通させる毎の大気開放室に流入する湯水量を増やして、湯張り開閉弁を開き側に作動させる回数を減らすことができ、給湯用制御手段による制御動作を簡略化できる。
請求項５記載の給湯装置は、
追焚単独運転時に給湯路と大気開放室とを連通させるに伴って、給湯路側の湯水が大気開放室に向けて移動して給湯路内の圧力が抑制されるが、そのように連通手段を作動させる時に、給湯用熱交換器からの湯水量の混合比率が少なくなるようにミキシング弁の作動させるので、バイパス路からの水が多い湯水が大気開放室に向けて移動して、給湯用熱交換器内の既に加熱された湯水と、給水路から給水される比較的冷たい水との入れ替わりが少なくなり、給湯用熱交換器内に新たに流入した水の温度上昇に伴う新たな圧力上昇を少なくして、連通給湯路内の圧力上昇を効率良く抑制できる。
【０００５】
【発明の実施の形態】
〔第１実施形態〕
本発明による給湯装置の実施の形態を図面に基づいて説明する。
この給湯装置は、図１に示すように、一般家庭用の水道管に接続された給水路１からの水を加熱し、加熱後の湯水を先端に給湯栓２を備えた給湯路３に供給する給湯用熱交換器４と、浴槽５内の湯水を加熱して追焚きする追焚用熱交換器６とを備え、これら給湯用熱交換器４と追焚用熱交換器６は単一のガスバーナ７で加熱するように構成され、両熱交換器４，６とガスバーナ７とは、給湯装置のケーシング８内に収納されている。
【０００６】
前記ガスバーナ７は多段式のバーナで、一般家庭用の燃料ガスを供給するガス供給路９が３系統に分岐して接続され、各分岐供給路にはガス切替え電磁弁１０が設けられ、ガス供給路９には、上流側から順に元ガス電磁弁１１とガス供給量を調整する電磁式ガス比例弁１２とが設けられ、かつ、図示はしないが、燃焼用空気を供給する燃焼用ファン、点火用のイグナイタ、着火を検出するフレームロッドなども設けられ、前記ガス供給路９のうちの元ガス電磁弁１１を含んで下流側が前記ケーシング８内に収納され、燃焼用ファンもケーシング８内に収納されている。
【０００７】
前記給水路１には、上流側から順に給水温度を検出する給水サーミスタ１３と給水量を検出する水量センサ１４とが設けられ、給水サーミスタ１３を含んで下流側がケーシング８内に収納されている。
前記給湯路３には、給湯路３からの湯水を浴槽５に供給する為の風呂用の湯張り路３２が分岐接続され、水量センサ１４より下流側の給水路１と、湯張り路３２の分岐接続箇所よりも上流側の給湯路３とが、給湯用熱交換器４を迂回する給水バイパス路１５を介して接続され、その給水バイパス路１５と給湯路３との接続箇所には、給湯用熱交換器４からの湯水量と給水バイパス路１５からの水量との混合比を調整するミキシング弁１６が設けられている。
【０００８】
前記ミキシング弁１６と湯張り路３２の分岐接続箇所との間の給湯路３には、ミキシング弁１６により混合された後の湯水の温度を検出する出湯サーミスタ１７と湯水の量を調整する水比例弁１８とが設けられ、湯張り路３２の分岐接続箇所よりも下流側の給湯路３には、一般給湯の割込みを検出する割込み水量センサ１９が設けられ、ミキシング弁１６より上流側の給湯路３には、給湯用熱交換器４からの湯水の温度を検出する給湯サーミスタ２０が設けられ、割込み水量センサ１９を含んで上流側がケーシング８内に収納されている。
【０００９】
前記追焚用熱交換器６には、浴槽５からの戻り路２１と浴槽５への往き路２２とが接続され、これらの戻り路２１と往き路２２は風呂アダプタ２３を介して浴槽５に接続され、戻り路２１に設けられた追焚用循環ポンプ２４を駆動することにより、浴槽５内の湯水を戻り路２１を介して追焚用熱交換器６に供給し、加熱後の湯水を往き路２２を介して浴槽５内に供給して、浴槽５内の湯水を循環しながら追焚きするように構成されている。
【００１０】
前記戻り路２１には、浴槽５側から順に、圧力を検出することによって浴槽５内の水位を検出する圧力検知式水位センサ２５、戻り路２１を開閉する電磁式の風呂２方弁２６、上述の追焚用循環ポンプ２４、水流スイッチ２７、風呂用の戻りサーミスタ２８などが設けられ、往き路２２には風呂用の往きサーミスタ２９が設けられ、水位センサ２５を含んで追焚用熱交換器６側の戻り路２１と追焚用熱交換器６側の往き路２２がケーシング８内に収納されている。
【００１１】
前記湯張り路３２の他端が、追焚用循環ポンプ２４と水流スイッチ２７との間の戻り路２１に接続され、かつ、その湯張り路３２には、上流側から順に、湯張り路３２を開閉する湯張り開閉弁としての湯張り電磁弁３３と湯張り逆止弁３４とが設けられ、湯張り電磁弁３３とその湯張り電磁弁３３よりも下流側の湯張り逆止弁３４との間の湯張り路３２には、その湯張り路３２に連通する大気開放室としてのオーバーフロー室３８を備えた空気層形成用ホッパ３５が介装されている。
前記空気層形成用ホッパ３５には、オーバーフロー室３８内の湯水を排水する排水路３７と、その排水路３７を開閉する排水開閉弁としての電磁式の排水弁３６とが設けられ、排水路３７の端部が風呂２方弁２６と循環ポンプ２４との間の戻り路２１に接続され、空気層形成用ホッパ３５や排水弁３６も全てケーシング８内に収納されている。
【００１２】
前記空気層形成用ホッパ３５は、図２及び図３に示すように、下方にオーバーフロー室３８、上方に湯張り路３２に連通のエアチェージ室３９を備え、エアチャージ室３９の上方には湯張り電磁弁３３が湯張り路３２を弾性的に閉弁する状態で組み付けられ、エアチャージ室３９の横側方には湯張り逆止弁３４が同じく湯張り路３２を弾性的に閉弁する状態で組み付けられている。
前記エアチャージ室３９内には、湯張り路３２を開閉する別の逆止弁４０と、オーバーフロー室３８とエアチャージ室３９との連通を開閉するエアチャージ弁４１とを一体化して収納され、逆止弁４０が湯張り路３２を閉じ、かつ、エアチャージ弁４１がオーバーフロー室３８とエアチャージ室３９とを連通させるように弾性付勢されている。
【００１３】
そして、オーバーフロー室３８には、大気開放のオバーフロー管４２が開口されていて、図２に示すように、湯張り時に湯張り電磁弁３３を開弁すると、逆止弁４０が水圧によって開弁するとともにエアチャージ弁４１によってオーバーフロー室３８とエアチャージ室３９との連通が断たれ、湯張り逆止弁３４が水圧により開弁して湯張りを実行するように構成されている。
また、湯張り終了後においては、図３に示すように、水量センサ１４による検出に基づいて湯張り電磁弁３３が閉弁し、それに伴って逆止弁４０と湯張り逆止弁３４が閉弁するとともにエアチャージ弁４１が開弁して、エアチャージ室３９内の湯水を空気と置換し、その空気層の介在によって浴槽５側の汚水と湯張り路３２側の湯水との接触が断たれるように構成されている。
【００１４】
従って、逆止弁４０とエアチャージ弁４１とが、湯張り電磁弁３３を開き側に切り替えるに伴って湯張り路３２とオーバーフロー室３８との連通を遮断する状態に切替え、湯張り電磁弁３３を閉じ側に切り替えるに伴って湯張り路３２とオーバーフロー室３８とを連通させる状態に切替える連通切換手段に構成されている。
【００１５】
前記オーバーフロー室３８には、オーバーフロー室３８内の湯水量を検出する検出手段としての水位電極４３が設けられ、かつ、このオーバーフロー室３８に前記排水路３７が連通されて、その排水路３７を開閉する電磁式の排水弁３６が排水路３７を弾性的に閉弁する状態で組み付けられ、水位電極４３による検出水位が所定以上になると、排水弁３６を開弁して、オーバーフロー室３８内の湯水を排水路３７を介して戻り路２１へ排出するように構成されている。
前記湯張り逆止弁３４より下流側の湯張り路３２とオーバーフロー室３８とは、排水用バイパス路４４で連通され、その排水用バイパス路４４を開閉する排水用逆止弁４５が、排水用バイパス路４４を弾性的に閉弁する状態で組み付けられている。
【００１６】
以上の構成からなる給湯装置の作動は、全てマイクロコンピュータを主要部とする給湯用制御手段としての制御装置Ｈにより制御され、制御装置Ｈも給湯装置のケーシング８内に収納され、かつ、ケーシング８と別体に構成されたリモコン４６が設けられて、リモコン４６と制御装置Ｈとが互いに通信可能に構成され、さらに、給湯用熱交換器４には、その給湯用熱交換器４内の湯水の温度を検出する沸騰防止用サーミスタ４７が設けられている。
【００１７】
つぎに、制御装置Ｈによる給湯装置の制御作動について説明する。
まず、リモコン４６の運転スイッチを入れると、給湯栓２からの一般給湯運転や浴槽５への湯張り運転が可能な状態となる。
前記一般給湯運転は、給湯栓２を開いて水量センサ１４による検出水量が所定量以上になると、図外のファンを駆動した後、元ガス電磁弁１１を開弁して、電磁式ガス比例弁１２の開度を調整してイグナイタによりガスバーナ７に点火することによって開始され、リモコン４６による設定給水温度、給水サーミスタ１３による検出水温、水量センサ１４による検出水量などに基づいて、ガス切替えガス電磁弁１０や電磁式ガス比例弁１２の開度が調整され、かつ、ミキシング弁１６の開度も調整されて給水温度が設定温度になるように、いわゆるフィードフォワード制御が実行されるとともに、出湯サーミスタ１７による検出湯温に基づいて電磁式ガス比例弁１２の開度を微調整するいわゆるフィードバック制御も実行されて、リモコン４６による設定温度の湯を給湯栓２から供給する。
そして、給湯栓２を閉じて水量センサ１４が所定量の通水を検出しなくなると、元ガス電磁弁１１を閉弁してガスバーナ７の燃焼を停止し、一定時間経過後にファンも停止して一般給湯運転を終了する。
【００１８】
前記湯張り運転は、リモコン４６の湯張りスイッチを入れると湯張り電磁弁３３が開弁して、水圧により逆止弁４０と湯張り逆止弁３４も開弁し、水量センサ１４が所定量以上の水流を検出すると、上述の一般給湯運転と同様にガスバーナ７に点火して、フィードフォワード制御とフィードバック制御とにより、電磁式ガス比例弁１２やミキシング弁１６の開度を調整して、給水路１からの水が給湯用熱交換器４で加熱され、加熱後の湯に給水バイパス路１５からの水が混合されて、設定温度の湯水が湯張り路３２を介して風呂用の戻り路２１と往き路２２との両路から浴槽５内に供給される。
そして、浴槽５内に所定量の湯水が供給されると、水位センサ２５の検出に伴って元ガス電磁弁１１が閉弁してガスバーナ７の燃焼が停止され、一定時間駆動後にファンも停止して湯張り運転が終了する。
尚、湯張り運転中に給湯栓２を開くと、割込み水量センサ１９が水流を検出し、湯張り運転を停止して一般給湯運転を実行する。つまり、一般給湯運転が優先して実行され、給湯栓２を閉じると、再び湯張り運転が再開される。
【００１９】
前記湯張り運転が終了すると、上述のように水量センサ１４の検出に伴って湯張り電磁弁３３が閉弁し、逆止弁４０と湯張り逆止弁３４も閉弁し、かつ、逆止弁４０の閉弁に伴ってエアチャージ弁４１が開弁し、エアチャージ室３９内の湯水がオーバーフロー室３８内に落下して、エアチャージ室３９内の湯水が空気と置換され、その後、一定時間だけ排水弁３６が開弁し、かつ、追焚用循環ポンプ２４が駆動される。
この循環ポンプ２４の駆動によって排水用逆止弁４５が開弁して、オーバーフロー室３８内の湯水が戻り路２１に吸入され、その後、排水弁３６が閉弁し、浴槽５内の湯が戻り路２１と往き路２２を介して循環され、戻りサーミスタ２８による検出湯温が設定温度に達していれば、循環ポンプ２４を停止し、設定温度に達していなければ、自動的に追焚運転が実行される。
【００２０】
前記追焚運転は、循環ポンプ２４の駆動によって浴槽５内の湯を戻り路２１と往き路２２を介して循環させながら、ガスバーナ７の燃焼により追焚用熱交換器６で浴槽５内の湯を加熱するもので、その制御動作を図４に示すフローチャートを参照しながら説明する。
先ず、追焚用循環ポンプ２４の駆動を開始して、水量センサ１４の検出結果に基づいて、湯張り電磁弁３３が閉弁している状態で追焚運転のみを実行する追焚単独運転か否かを判別し、追焚単独運転の場合にガスバーナ７が燃焼していなければ、図外のファンを駆動した後、元ガス電磁弁１１を開弁して、電磁式ガス比例弁１２の開度を調整してイグナイタによりガスバーナ７に点火する燃焼開始処理を実行した後、沸騰防止用サーミスタ４７による検出温度に基づいて給湯用熱交換器４内の湯水が沸騰しない程度に電磁式ガス比例弁１２の開度を調整し、湯水量の混合比率が最も少なくなるようにミキシング弁１６の開度を調整する。
【００２１】
次に、給湯路３内の圧力上昇を抑制するように後述する連通手段の作動を制御する連通手段作動制御を実行し、水位電極４３が所定の湯水量を検出すると、排水弁３６を短時間だけ開弁してオーバーフロー室３８内の湯水を排水路３７に排出し、戻りサーミスタ２８による検出湯温が設定温度に達していれば追焚運転終了と判断して、元ガス電磁弁１１を閉弁してガスバーナ７の燃焼を停止し、一定時間経過後にファンを停止させる燃焼終了処理を実行し、追焚用循環ポンプ２４の駆動を停止する。
【００２２】
また、追焚単独運転でない場合は、戻りサーミスタ２８による検出湯温が設定温度に達して追焚運転終了と判断されるまで追焚運転を続行し、その途中で一般給湯運転や湯張り運転が停止されて、追焚単独運転が行われる場合は、前述のように、電磁式ガス比例弁１２とミキシング弁１６の開度を調整して、湯張り電磁弁作動制御を実行する。
【００２３】
前記連通手段作動制御においては、図５のタイミングチャートで示すように、追焚単独運転時に湯張り電磁弁３３を間欠的に所定の短時間（０．１秒程度）だけ開弁するように作動させるもので、湯張り電磁弁３３を開弁すると、逆止弁４０が開弁するとともにエアチャージ弁４１が閉弁して、給湯路３に連通する湯張り路３２内の湯水がエアチェージ室３９に流入し、次に湯張り電磁弁３３を閉弁すると、逆止弁４０が閉弁するとともにエアチャージ弁４１が開弁して、エアチェージ室３９内の湯水がオーバーフロー室３８内に流入する状態で、給湯路３とオーバーフロー室３８とが湯張り路３２とエアチェージ室３９とを介して間欠的に連通するように構成されている。
尚、湯張り電磁弁３３の開弁動作は、温度が上昇し易い追焚単独運転の初期においては短い時間間隔で行い、温度が上昇しにくくなるほど長い時間間隔で行うように構成されいる。
【００２４】
従って、浴槽５内の湯水を追焚する追焚単独運転時に給湯路３とオーバーフロー室３８とを連通させる連通手段が、湯張り電磁弁３３と逆止弁４０とエアチャージ弁４１とで構成されていて、制御装置Ｈからの指令によって給湯路３とオーバーフロー室３８とを連通する状態とその連通を遮断する状態とに切替え自在に設けられ、制御装置Ｈは、給湯路３とオーバーフロー室３８とが間欠的に連通するように湯張り電磁弁３３と逆止弁４０とエアチャージ弁４１の作動を制御して、追焚単独運転時に給湯路３内の圧力上昇を抑制するように構成されている。
【００２５】
〔第２実施形態〕
図６は、湯張り電磁弁（以下、第１湯張り電磁弁という）３３よりも上流側の湯張り路３２に、その湯張り路３２を開閉自在な電磁式の開閉弁（以下、第２湯張り電磁弁という）５０が設けられている実施形態を示し、この第２湯張り電磁弁５０は、追焚単独運転の開始時には閉弁されている。
そして、この実施形態においても、制御装置Ｈは、第１実施形態と同様に給湯装置の作動を制御するが、前記連通手段作動制御においては、図７のタイミングチャートで示すように、追焚単独運転時に、第２湯張り電磁弁５０を所定の短時間（０．１秒程度）だけ開弁して、給湯路３側の体積膨張した湯水を第１湯張り電磁弁３３と第２湯張り電磁弁５０との間の湯張り路部分５９内に流入させた後、第１湯張り電磁弁３３を所定の短時間（０．１秒程度）だけ開弁する状態で、第２湯張り電磁弁５０と第１湯張り電磁弁３３とを間欠的に開弁させて、追焚単独運転時に給湯路３とオーバーフロー室３８とを間欠的に連通させるように構成されている。
尚、本実施形態においては、第１湯張り電磁弁３３と第２湯張り電磁弁５０の開弁動作を、温度が上昇し易い追焚単独運転の初期においては短い時間間隔で行い、温度が上昇しにくくなるほど長い時間間隔で行うように構成されいる。
その他の構成は第１実施形態と同様である。
【００２６】
〔第３実施形態〕
図８は、前記第２実施形態において、第１湯張り電磁弁３３と第２湯張り電磁弁５０との間の湯張り路３２に、その湯張り路３２内の圧力を吸収する圧力吸収手段としてのアキュムレータ５１が設けられている実施形態を示す。
前記アキュムレータ５１は、図９に示すように、湯張り路３２に連通接続される連通部５２を一端側に備えたシリンダチューブ５３内にシールリング５４を挟んでピストン５５が往復手動移動自在に装着され、シリンダチューブ５３の他端側にシールリング５６を挟んでキャップ５７が装着され、ピストン５５とキャップ５７との間に圧縮コイルバネ５８を装着して、第１湯張り電磁弁３３と第２湯張り電磁弁５０との間の湯張り路部分５９内の湯水の圧力が増大すると、ピストン５５が圧縮コイルバネ５８の付勢力に抗して移動して、その圧力を吸収するように構成されている。
その他の構成は第２実施形態と同様である。
【００３３】
〔その他の実施形態〕
１．給湯路と大気開放室とを直接連通する流路と、その流路を連通状態と遮断状態とに切り替える連通手段とを別に設け、その連通手段の作動を制御して、追焚単独運転時に給湯路内の圧力上昇が抑制されるように構成しても良い。
２．給湯路と大気開放室とを、第１実施形態で示したような湯張り路３２とエアチェージ室３９とを介して連通させずに、湯張り路３２のみを介して連通させるように構成しても良い。
３．第１実施形態において、エアチャージ弁４１を閉弁したままの状態で湯張り電磁弁３３を短時間開弁して、湯張り路３２内の湯水をエアチェージ室３９に流入させ、次に、湯張り電磁弁３３を閉弁したままの状態でエアチャージ弁４１を開弁させて、エアチェージ室３９内の湯水をオーバーフロー室３８内に流入させる状態で、給湯路３とオーバーフロー室３８とが湯張り路３２とエアチェージ室３９とを介して間欠的に連通するように構成されていても良い。
【図面の簡単な説明】
【図１】  給湯装置全体の概略構成図
【図２】  空気層形成用ホッパの断面図
【図３】  空気層形成用ホッパの断面図
【図４】  追焚運転の作動を示すフローチャート
【図５】  タイミングチャート
【図６】  第２実施形態の給湯装置の部分概略構成図
【図７】  タイミングチャート
【図８】  第３実施形態の給湯装置の部分概略構成図
【図９】  アキュムレータの断面図
【図１０】  従来技術の説明図
【符号の説明】
１  給水路
３  給湯路
４  給湯用熱交換器
５  浴槽
６  追焚用熱交換器
７  バーナ
１５  バイパス路
１６  ミキシング弁
２１  戻り路
２２  往き路
３２  湯張り路
３３  湯張り開閉弁（連通手段）
３８  大気開放室
４０，４１  連通切換手段（連通手段）
５０  開閉弁
５１  圧力吸収手段
Ｈ  給湯用制御手段
【図１】
0003786500.tif 000002
【図２】
0003786500.tif 000003
【図３】
0003786500.tif 000004
【図４】
0003786500.tif 000005
【図５】
0003786500.tif 000006
【図６】
0003786500.tif 000007
【図７】
0003786500.tif 000008
【図８】
0003786500.tif 000009
【図９】
0003786500.tif 000010
【図１０】
0003786500.tif 000011